【事件の表示】
　特願２００８−２２８８４８「インキ組成物」拒絶査定不服審判事件〔平成２２年　３月１８日出願公開、特開２０１０−　５９３６４〕について、次のとおり審決する。
【結　論】
　本件審判の請求は、成り立たない。
【理　由】
　
第１　手続の経緯　
　本願は、平成２０年９月５日の出願であって、平成２４年１１月２９日付けで拒絶理由が通知され、これに対して、平成２５年２月４日付けで意見書及び手続補正書が提出され、同年９月９日付けで拒絶理由が通知され、これに対して、同年１１月１５日付けで意見書及び手続補正書が提出されたが、平成２６年７月１１日付けで拒絶査定がなされ、同年１０月１４日にこの拒絶査定を不服とする審判請求がなされるとともに手続補正書が提出され、その後、当審より、平成２７年１２月１０日付けで拒絶理由が通知され、平成２８年３月１１日付けで意見書及び手続補正書が提出されたものである。
第２　本願発明
　本願発明は、平成２８年３月１１日付けの手続補正により補正された特許請求の範囲の請求項１〜４に記載された事項により特定されるものと認められるところ、その請求項１に係る発明は、次のとおりのものである。
「少なくとも顔料、有機溶剤および重量平均分子量（Ｍｗ）が異なる２種類以上の、アクリル樹脂、スチレン−アクリル樹脂、塩化ビニル樹脂、塩化ビニル−酢酸ビニル共重合樹脂から選ばれるバインダー樹脂を含み、使用されている２種類以上のバインダー樹脂のうち重量平均分子量（Ｍｗ）が最も小さいバインダー樹脂をＭｗα、重量平均分子量（Ｍｗ）が大きいバインダー樹脂をＭｗβｘ（ｘ＝１，２，３・・・）とおいた場合、一般式（１）、（２）を満たし、
　一般式（１）： Ｍｗβｘ（ｘ＝１，２，３・・・）−Ｍｗα≧１０，０００
　一般式（２）： １，０００＜Ｍｗα＜３０，０００ 且つ
　　　　　　２０，０００＜Ｍｗβｘ＜１００，０００
　更に、含まれる２種以上のバインダー樹脂の重量平均分子量（Ｍｗ）と数平均分子量（Ｍｎ）の関係が、下記の範囲であり、
Ｍｗαが、アクリル樹脂またはスチレン−アクリル樹脂であり、
　　１＜Ｍｗ／Ｍｎ＜３
　　
　更に、バインダー樹脂はインキ中に０．１〜２０重量％含み、
　更に、有機溶剤として、一般式（ａ）、（ｂ）および（ｄ）で表される溶剤のいずれか１つ以上を含むことを特徴とする非吸収性基材用非水系インクジェットインキ組成物。
　Ｒ1ＣＯ（ＯＲ2）ZＯＲ3　　　　　　　（ａ）
　
　Ｒ4ＣＯ（ＯＲ5）ZＯＣＯＲ6　　　　　（ｂ）
　
　Ｒ10ＣＯＯＲ11　　　　　　　　　　　（ｄ）
（式中、Ｒ2、Ｒ5はそれぞれ独立してエチレン基又はプロピレン基、
Ｒ1、Ｒ3、Ｒ4、Ｒ6は、それぞれ独立して炭素数１〜４のアルキル基、
Ｒ10は２−ヒドロキシエチル基、
Ｒ11は炭素数１〜８のアルキル基、
Ｚは１〜３の整数を表す。）」（以下、「本願発明」という。）
第３　当審拒絶理由の概要
　当審より平成２７年１２月１０日付けで通知された拒絶の理由の一つは、本願発明は、国際公開第２００８／４７９１２号に記載された発明及び周知の技術事項に基いて、当業者が容易に発明をすることができたものであり、特許法第２９条第２項の規定により特許を受けることができない、というものである。
　なお、本願発明（請求項１に係る発明）は、平成２８年３月１１日付けの手続補正により補正される前の平成２６年１０月１４日付け手続補正により補正された特許請求の範囲の請求項２（以下、「旧請求項２」という。）について、有機溶剤の（１）〜（４）から「Ｒ７（ＯＲ８）ZＯＲ９　　　　（３）」を削除し、「Ｒ１ＣＯ（ＯＲ２）ZＯＲ３　　（１）」、「Ｒ４ＣＯ（ＯＲ５）ZＯＣＯＲ６　（２）」、「Ｒ１０ＣＯＯＲ１１　　　　　　　（４）」の各符号をそれぞれ「（ａ）」、「（ｂ）」、「（ｄ）」に補正するとともに、「更に、バインダー樹脂はインキ中に０．１〜２０重量％含み、」を追加したものであり、当該旧請求項２に係る発明については、特許法第２９条第２項の規定により特許を受けることができない、という理由が通知されている。
第４　引用文献の主な記載事項
　当審にて通知した拒絶理由通知において引用された文献は、以下のとおりである。
＜引用文献＞
　引用文献Ａ；国際公開第２００８／４７９１２号
　１　引用文献Ａの記載事項
　引用文献Ａには、以下の記載が認められる。（当審注：下線は当審において付記したものである。以下同じ。）
　　（Ａ１）　「[0001]　本発明は、
非水性インクジェットインキ
　　（Ａ２）　「[0007]　本発明の一形態は、顔料、樹脂及び混合溶剤を含む
非水性インクジェットインキ
　　（Ａ３）　「[0016]　本発明の一態様によると、
低臭気で、安全衛生性に優れ、樹脂溶解性に優れ、印刷安定性に優れ、乾燥性に優れ、プリンターへの腐食がなく、非吸収性基材への密着性が良好な非水性インクジェットインキ
　本明細書に開示された内容は、特願２００６−２８６０６２（２００６年１０月２０　日出願）の主題に関するものであって、これらを全体的に本明細書に組み込むものとする。」
　　（Ａ４）　「[0026]　　なお、本発明の非水性インクジェットインキ中の混合溶剤はインキ全体の６０重量％〜９５重量％であることが好ましく、より好ましくは７０重量％〜９５重量％、さらに好ましくは８０重量％〜９５重量％である。当然ながら
混合溶剤以外の溶剤も粘度調整や乾燥性の調整のために添加することができる。
　
エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、ジプロピレングリコールモノメチルエーテルアセテート、エチレングリコールモノメチルエーテルプロピオネート、エチレングリコールモノエチルエーテルプロピオネート、エチレングリコールモノブチルエーテルプロピオネート、ジエチレングリコールモノメチルエーテルプロピオネート、ジエチレングリコールモノエチルエーテルプロピオネート、ジエチレングリコールモノブチルエーテルプロピオネート、プロピレングリコールモノメチルエーテルプロピオネート、ジプロピレングリコールモノメチルエーテルプロピオネート、エチレングリコールモノメチルエーテルブチレート、エチレングリコールモノエチルエーテルブチレート、エチレングリコールモノブチルエーテルブチレート、ジエチレングリコールモノメチルエーテルブチレート、ジエチレングリコールモノエチルエーテルブチレート、ジエチレングリコールモノブチルエーテルブチレート、プロピレングリコールモノメチルエーテルブチレート、ジプロピレングリコールモノメチルエーテルブチレート等のグリコールモノアセテート類、エチレングリコールジアセテート、ジエチレングリコールジアセテート、プロピレングリコールジアセテート、ジプロピレングリコールジアセテート、エチレングリコールアセテートプロピオネート、エチレングリコールアセテートブチレート、エチレングリコールプロピオネートブチレート、エチレングリコールジプロピオネート、エチレングリコールジブチレート、ジエチレングリコールアセテートプロピオネート、ジエチレングリコールアセテートブチレート、ジエチレングリコールプロピオネートブチレート、ジエチレングリコールジプロピオネート、ジエチレングリコールジブチレート、プロピレングリコールアセテートプロピオネート、プロピレングリコールアセテートブチレート、プロピレングリコールプロピオネートブチレート、プロピレングリコールジプロピオネート、プロピレングリコールジブチレート、ジプロピレングリコールアセテートプロピオネート、ジプロピレングリコールアセテートブチレート、ジプロピレングリコールプロピオネートブチレート、ジプロピレングリコールジプロピオネート、ジプロピレングリコールジブチレート等のグリコールジアセテート類、
乳酸メチル、乳酸エチル、乳酸プロピル、乳酸ブチル等の乳酸エステル類が挙げられる。
　　（Ａ５）　「[0028]　本発明では非吸収性基材への密着性向上のために樹脂を添加する。使用できる樹脂としては、アクリル系樹脂、スチレン−アクリル系樹脂、スチレン−マレイン酸系樹脂、ロジン系樹脂、ロジンエステル系樹脂、エチレン−酢ビ系樹脂、石油樹脂、クマロンインデン系樹脂、テルペンフェノール系樹脂、フェノール樹脂、ウレタン樹脂、メラミン樹脂、尿素樹脂、エポキシ系樹脂、セルロース系樹脂、塩酢ビ系樹脂、キシレン樹脂、アルキッド樹脂、脂肪族炭化水素樹脂、ブチラール樹脂、マレイン酸樹脂、フマル酸樹脂等が挙げられる。樹脂の具体例としては、荒川化学社製のスーパーエステル７５、エステルガムＨＰ、マルキッド ３３、安原社製のＹＳ ポリスター Ｔ８０、三井化学社製のＨｉｒｅｔｔｓ ＨＲＴ２００Ｘ、
ＢＡＳＦ社製のジョンクリル５８６（スチレン・アクリル酸共重合体）、
　　（Ａ６）　「[0034]　本発明のインキの被印刷体として、
非吸収性基材
　　（Ａ７）　「[0036]　[実施例]
　以下、実施例をあげて本発明を具体的に説明するが、本発明は実施例に特に限定されるものではない。なお、実施例中、「部」は「重量部」を表す。」
　　（Ａ８）　「[0041]　
＜顔料分散体Ｅ＞
　更に
下記のような配合で顔料分散体Ｅを作成した。こ
ＬＩＯＮＯＬ　ＢＬＵＥ　ＦＧ−７４００−Ｇ（東洋インキ製造社製、銅フタロシアニン顔料）
アジスパーＰＢ８２１（味の素ファインテクノ社製、顔料分散剤）
ジエチレングリコールメチルエチルエーテル
　　（Ａ９）　「[0047]　
［実施例５］
　
下記配合を混合し、
シアンインクジェットインキ
顔料分散体Ｅ
１０．０部
ＶＹＨＤ（ダウケミカル社製、塩化ビニルと酢酸ビニルの共重合体）
４．２部
Ｊ５８６（ＢＡＳＦ社製、スチレン・アクリル酸共重合体）
２．０部
ＢＹＫ−３６１Ｎ（ＢＹＫ−Ｃｈｅｍｉｅ社製、表面調整剤）
０．５部
テトラエチレングリコールジメチルエーテル
１５．０部
Ｎ−メチルオキサゾリジノン
５．０部
ジエチレングリコールメチルエチルエーテル
６３．３部
第５　当審の判断
　１　引用文献Ａに記載された発明
　引用文献Ａの上記（Ａ７）及び（Ａ９）の実施例５（シアンインクジェットインキ）によれば、引用文献Ａには、顔料分散体Ｅ　１０．０重量部、テトラエチレングリコールジメチルエーテル　１５．０重量部、ジエチレングリコールメチルエチルエーテル　６３．３重量部、Ｎ−メチルオキサゾリジノン　５．０重量部、ＢＹＫ−３６１Ｎ（ＢＹＫ−Ｃｈｅｍｉｅ社製、表面調整剤）　０．５部，Ｊ５８６（ＢＡＳＦ社製、スチレン・アクリル酸共重合体）　２．０重量部、及びＶＹＨＤ（ダウケミカル社製、塩化ビニルと酢酸ビニルの共重合体）　４．２重量部を含有するシアンインクジェットインキが記載されており、当該「顔料分散体Ｅ」は、引用文献Ａの上記（Ａ８）によれば、「ＬＩＯＮＯＬ　ＢＬＵＥ　ＦＧ−７４００−Ｇ（東洋インキ製造社製、銅フタロシアニン顔料）」、「アジスパーＰＢ８２１（味の素ファインテクノ社製、顔料分散剤）」、及び「ジエチレングリコールメチルエチルエーテル」が配合されたものであるといえ、また、当該「シアンインクジェットインキ（実施例５）」は、引用文献Ａの上記（Ａ１）、（Ａ２）、及び（Ａ６）によれば、「非吸収性基材用非水性インクジェットインキ」として用いられ得るものと認められる。
　そうすると、引用文献Ａには、「ＬＩＯＮＯＬ　ＢＬＵＥ　ＦＧ−７４００−Ｇ（東洋インキ製造社製、銅フタロシアニン顔料）、アジスパーＰＢ８２１（味の素ファインテクノ社製、顔料分散剤）、ジエチレングリコールメチルエチルエーテルが配合された　顔料分散体Ｅ　１０．０重量部、テトラエチレングリコールジメチルエーテル　１５．０重量部、ジエチレングリコールメチルエチルエーテル　６３．３重量部、Ｎ−メチルオキサゾリジノン　５．０重量部、ＢＹＫ−３６１Ｎ（ＢＹＫ−Ｃｈｅｍｉｅ社製、表面調整剤）　０．５部、Ｊ５８６（ＢＡＳＦ社製、スチレン・アクリル酸共重合体）　２．０重量部、及びＶＹＨＤ（ダウケミカル社製、塩化ビニルと酢酸ビニルの共重合体）　４．２重量部を含有する非吸収性基材用非水性インクジェットインキ。」の発明（以下「引用発明」という。）が記載されているといえる。
　２　本願発明と引用発明との対比・判断
　本願発明と引用発明とを対比する。
　（１）　引用発明の「ＬＩＯＮＯＬ　ＢＬＵＥ　ＦＧ−７４００−Ｇ（東洋インキ製造社製、銅フタロシアニン顔料）」、「非吸収性基材用非水性インクジェットインキ」は、本願発明の「顔料」、「非吸収性基材用非水系インクジェットインキ組成物」に相当する。
　（２）　本願明細書の【００２６】によれば、「
一般式（ｃ）に該当する溶剤としては、
ジエチレングリコールメチルエチルエーテル
テトラエチレングリコールジメチルエーテル
　また、同じく【００２９】によれば、「また、本発明における有機溶剤である一般式（ａ）から（ｄ）に追加して、含窒素系または含硫黄系または
ラクトン系溶剤
３−エチルオキサゾリジノン
　（３）　上記（１）、（２）から、本願発明と引用発明とは、「顔料、有機溶剤を含む非吸収性基材用非水系インクジェットインキ組成物。」である点において一致し、以下の点において相違する。
［相違点１］　バインダー樹脂について、本願発明が、「重量平均分子量（Ｍｗ）が異なる２種類以上の、アクリル樹脂、スチレン−アクリル樹脂、塩化ビニル樹脂、塩化ビニル−酢酸ビニル共重合樹脂から選ばれるバインダー樹脂を含み、使用されている２種類以上のバインダー樹脂のうち重量平均分子量（Ｍｗ）が最も小さいバインダー樹脂をＭｗα、重量平均分子量（Ｍｗ）が大きいバインダー樹脂をＭｗβｘ（ｘ＝１，２，３・・・）とおいた場合、一般式（１）、（２）を満たし、
　一般式（１）： Ｍｗβｘ（ｘ＝１，２，３・・・）−Ｍｗα≧１０，０００
　一般式（２）： １，０００＜Ｍｗα＜３０，０００ 且つ
　　　　　　２０，０００＜Ｍｗβｘ＜１００，０００
　更に、含まれる２種以上のバインダー樹脂の重量平均分子量（Ｍｗ）と数平均分子量（Ｍｎ）の関係が、下記の範囲であり、
Ｍｗαが、アクリル樹脂またはスチレン−アクリル樹脂であり、
　　１＜Ｍｗ／Ｍｎ＜３
　　
　更に、バインダー樹脂はインキ中に０．１〜２０重量％含み、」と特定しているのに対し、引用発明が、「Ｊ５８６（ＢＡＳＦ社製、スチレン・アクリル酸共重合体）　２．０重量部、及びＶＹＨＤ（ダウケミカル社製、塩化ビニルと酢酸ビニルの共重合体）　４．２重量部を含有する」である点。
［相違点２］　有機溶剤について、本願発明が、「更に、有機溶剤として、一般式（ａ）、（ｂ）および（ｄ）で表される溶剤のいずれか１つ以上を含むことを特徴とする非吸収性基材用非水系インクジェットインキ組成物。
　Ｒ1ＣＯ（ＯＲ2）ZＯＲ3　　　　　　　（ａ）
　
　Ｒ4ＣＯ（ＯＲ5）ZＯＣＯＲ6　　　　　（ｂ）
　
　Ｒ10ＣＯＯＲ11　　　　　　　　　　　（ｄ）
（式中、Ｒ2、Ｒ5はそれぞれ独立してエチレン基又はプロピレン基、
Ｒ1、Ｒ3、Ｒ4、Ｒ6は、それぞれ独立して炭素数１〜４のアルキル基、
Ｒ10は２−ヒドロキシエチル基、
Ｒ11は炭素数１〜８のアルキル基、
Ｚは１〜３の整数を表す。）」と特定しているのに対し、引用発明が、「テトラエチレングリコールジメチルエーテル　１５．０重量部、ジエチレングリコールメチルエチルエーテル　６３．３重量部、Ｎ−メチルオキサゾリジノン　５．０重量部」である点。
　３　相違点についての検討
　上記［相違点１］、［相違点２］について、順に検討する。
　（１）　［相違点１］についての検討
　引用発明の「Ｊ５８６（ＢＡＳＦ社製、スチレン・アクリル酸共重合体）」は、引用文献Ａの上記（Ａ５）によれば、ＢＡＳＦ社製の「ジョンクリル５８６」であることは、当業者に明らかであり、これは、本願明細書の【００４６】【表１】の「樹脂１：製品名　ジョンクリル５８６（ＢＡＳＦ社製）、樹脂種　アクリル樹脂（スチレン／アクリル酸／αメチルスチレン）」そのものであり、また、引用発明の「ＶＹＨＤ（ダウケミカル社製、塩化ビニルと酢酸ビニルの共重合体）」は、本願明細書の【００４６】【表１】の「樹脂３：製品名　ＶＹＨＤ（ダウケミカル社製）、樹脂種：塩化ビニル酢酸ビニル共重合樹脂」そのものであり、両者のバインダー樹脂の合計が「６．２重量部」（＝４．２重量部＋２．０重量部）であり、ここで、「６．２重量％」と言い換えることができ、そして、両者のバインダー樹脂を併用したものが、本願発明の実施例である、実施例１、実施例４、実施例８としてインクジェットインキが製造されていることから、引用発明の「Ｊ５８６（ＢＡＳＦ社製、スチレン・アクリル酸共重合体）　２．０重量部、及びＶＹＨＤ（ダウケミカル社製、塩化ビニルと酢酸ビニルの共重合体）　４．２重量部を含有する」は、本願発明の「重量平均分子量（Ｍｗ）が異なる２種類以上の、アクリル樹脂、スチレン−アクリル樹脂、塩化ビニル樹脂、塩化ビニル−酢酸ビニル共重合樹脂から選ばれるバインダー樹脂を含み、使用されている２種類以上のバインダー樹脂のうち重量平均分子量（Ｍｗ）が最も小さいバインダー樹脂をＭｗα、重量平均分子量（Ｍｗ）が大きいバインダー樹脂をＭｗβｘ（ｘ＝１，２，３・・・）とおいた場合、一般式（１）、（２）を満たし、
　一般式（１）： Ｍｗβｘ（ｘ＝１，２，３・・・）−Ｍｗα≧１０，０００
　一般式（２）： １，０００＜Ｍｗα＜３０，０００ 且つ
　　　　　　２０，０００＜Ｍｗβｘ＜１００，０００
　更に、含まれる２種以上のバインダー樹脂の重量平均分子量（Ｍｗ）と数平均分子量（Ｍｎ）の関係が、下記の範囲であり、
Ｍｗαが、アクリル樹脂またはスチレン−アクリル樹脂であり、
　　１＜Ｍｗ／Ｍｎ＜３
　　
　更に、バインダー樹脂はインキ中に０．１〜２０重量％含み、」を充足することから、上記相違点１は実質的なものでない。
　（２）　［相違点２］についての検討
　引用文献Ａには、上記（Ａ４）によれば、「当然ながら混合溶剤以外の溶剤も粘度調整や乾燥性の調整のために添加することができる。添加可能な溶剤は特に限定されるものではないが以下実例を挙げる。」とのことであるから、インクジェットインキ組成物の粘度や乾燥性を調整するために他の溶剤を含有させても良い旨示唆されており、そして、他の溶剤の実例として、同じく上記（Ａ４）によれば、「エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、ジプロピレングリコールモノメチルエーテルアセテート、エチレングリコールモノメチルエーテルプロピオネート、エチレングリコールモノエチルエーテルプロピオネート、エチレングリコールモノブチルエーテルプロピオネート、ジエチレングリコールモノメチルエーテルプロピオネート、ジエチレングリコールモノエチルエーテルプロピオネート、ジエチレングリコールモノブチルエーテルプロピオネート、プロピレングリコールモノメチルエーテルプロピオネート、ジプロピレングリコールモノメチルエーテルプロピオネート、エチレングリコールモノメチルエーテルブチレート、エチレングリコールモノエチルエーテルブチレート、エチレングリコールモノブチルエーテルブチレート、ジエチレングリコールモノメチルエーテルブチレート、ジエチレングリコールモノエチルエーテルブチレート、ジエチレングリコールモノブチルエーテルブチレート、プロピレングリコールモノメチルエーテルブチレート、ジプロピレングリコールモノメチルエーテルブチレート等のグリコールモノアセテート類」（当審注：以下、「（Ａ４）の（ａ）」という。）、「エチレングリコールジアセテート、ジエチレングリコールジアセテート、プロピレングリコールジアセテート、ジプロピレングリコールジアセテート、エチレングリコールアセテートプロピオネート、エチレングリコールアセテートブチレート、エチレングリコールプロピオネートブチレート、エチレングリコールジプロピオネート、エチレングリコールジブチレート、ジエチレングリコールアセテートプロピオネート、ジエチレングリコールアセテートブチレート、ジエチレングリコールプロピオネートブチレート、ジエチレングリコールジプロピオネート、ジエチレングリコールジブチレート、プロピレングリコールアセテートプロピオネート、プロピレングリコールアセテートブチレート、プロピレングリコールプロピオネートブチレート、プロピレングリコールジプロピオネート、プロピレングリコールジブチレート、ジプロピレングリコールアセテートプロピオネート、ジプロピレングリコールアセテートブチレート、ジプロピレングリコールプロピオネートブチレート、ジプロピレングリコールジプロピオネート、ジプロピレングリコールジブチレート等のグリコールジアセテート類」（当審注：以下、「（Ａ４）の（ｂ）」という。）、「乳酸メチル、乳酸エチル、乳酸プロピル、乳酸ブチル等の乳酸エステル類」（当審注：以下、「（Ａ４）の（ｄ）」という。）が列挙されており、それぞれ、本願発明の「有機溶剤として、一般式（ａ）、（ｂ）および（ｄ）で表される溶剤のいずれか１つ」である
「Ｒ1ＣＯ（ＯＲ2）ZＯＲ3　　　　　　　（ａ）
　
　Ｒ4ＣＯ（ＯＲ5）ZＯＣＯＲ6　　　　　（ｂ）
　
　Ｒ10ＣＯＯＲ11　　　　　　　　　　　（ｄ）
（式中、Ｒ2、Ｒ5はそれぞれ独立してエチレン基又はプロピレン基、
Ｒ1、Ｒ3、Ｒ4、Ｒ6は、それぞれ独立して炭素数１〜４のアルキル基、
Ｒ10は２−ヒドロキシエチル基、
Ｒ11は炭素数１〜８のアルキル基、
Ｚは１〜３の整数を表す。）」に包含されることから、引用発明において、上記相違点２を構成すること、すなわち、インクジェットインキ組成物の乾燥性等を考慮して「更に、有機溶剤として、一般式（ａ）、（ｂ）および（ｄ）で表される溶剤のいずれか１つを含むこと
　Ｒ1ＣＯ（ＯＲ2）ZＯＲ3　　　　　　　（ａ）
　
　Ｒ4ＣＯ（ＯＲ5）ZＯＣＯＲ6　　　　　（ｂ）
　
　Ｒ10ＣＯＯＲ11　　　　　　　　　　　（ｄ）
（式中、Ｒ2、Ｒ5はそれぞれ独立してエチレン基又はプロピレン基、
Ｒ1、Ｒ3、Ｒ4、Ｒ6は、それぞれ独立して炭素数１〜４のアルキル基、
Ｒ10は２−ヒドロキシエチル基、
Ｒ11は炭素数１〜８のアルキル基、
Ｚは１〜３の整数を表す。）」は、引用文献Ａに記載された事項に基けば、当業者が容易になし得るものである。
　なお、「有機溶剤として、一般式（ａ）、（ｂ）および（ｄ）で表される溶剤のいずれか１つ」である
「Ｒ1ＣＯ（ＯＲ2）ZＯＲ3　　　　　　　（ａ）
　
　Ｒ4ＣＯ（ＯＲ5）ZＯＣＯＲ6　　　　　（ｂ）
　
　Ｒ10ＣＯＯＲ11　　　　　　　　　　　（ｄ）
（式中、Ｒ2、Ｒ5はそれぞれ独立してエチレン基又はプロピレン基、
Ｒ1、Ｒ3、Ｒ4、Ｒ6は、それぞれ独立して炭素数１〜４のアルキル基、
Ｒ10は２−ヒドロキシエチル基、
Ｒ11は炭素数１〜８のアルキル基、
Ｚは１〜３の整数を表す。）」については、下記文献Ｂにも記載されている。
　　ア　文献Ｂ：特開２００８−４４９８１号公報（要すれば、【請求項３】、【００２１】〜【００２５】の欄等、参照。）
　さらに、本願明細書の【００２６】によれば、「一般式（ｃ）に該当する溶剤としては、エチレングリコール、ジエチレングリコール、トリエチレングリコール、プロピレングリコール、ジプロピレングリコール等のグリコール類、エチレングリコールモノブチルエーテル、プロピレングリコールモノメチルエーテル、プロピレングリコールモノブチルエーテル、ジエチレングリコールモノエチルエーテル、ジエチレングリコールジエチルエーテル、ジエチレングリコールモノブチルエーテル、ジエチレングリコールジブチルエーテル、
ジエチレングリコールメチルエチルエーテル
テトラエチレングリコールジメチルエーテル
「Ｒ1ＣＯ（ＯＲ2）ZＯＲ3　　　　　　　（ａ）
　
　Ｒ4ＣＯ（ＯＲ5）ZＯＣＯＲ6　　　　　（ｂ）
　
　Ｒ10ＣＯＯＲ11　　　　　　　　　　　（ｄ）
（式中、Ｒ2、Ｒ5はそれぞれ独立してエチレン基又はプロピレン基、
Ｒ1、Ｒ3、Ｒ4、Ｒ6は、それぞれ独立して炭素数１〜４のアルキル基、
Ｒ10は２−ヒドロキシエチル基、
Ｒ11は炭素数１〜８のアルキル基、
Ｚは１〜３の整数を表す。）」（当審注：以下単に「有機溶剤（ａ）、（ｂ）および（ｄ）」という。）と、『「一般式（ｃ）」「Ｒ７（ＯＲ８）ZＯＲ９          （ｃ）（式中、Ｒ８は独立してエチレン基又はプロピレン基、Ｒ９は独立して水素原子又は炭素数１〜４のアルキル基、Zは１〜４の整数を表す。）」』（当審注：以下単に「有機溶剤（ｃ）」という。）に相当する引用発明の「テトラエチレングリコールジメチルエーテル」及び「ジエチレングリコールメチルエチルエーテル」とは、有機溶剤として同列に記載されているだけであり、また、本願明細書の実施例の記載（「有機溶剤（ａ）」を使用した実施例１〜３と、「有機溶剤（ｃ）」を使用した実施例４〜１４）を参照しても、それらの有機溶剤の違いにより印字安定性試験、印刷物性能試験、乾燥性等の評価において、有意な差が認められないこともあり、有機溶剤（ａ）、（ｂ）および（ｄ）が、有機溶剤（ｃ）と比較して、格別顕著な効果を有するものとは認められない。
　なお、審判請求人は、平成２８年３月１１日付けの意見書に「実験成績証明書」を添付し、当該「実験成績証明書」の表１等の記載によれば、引用発明のインキ（インキ６、引用文献Ａ実施例５に記載のインキ）と、本願発明に相当するインキ（インキ１〜５）とを印字安定性の項目で評価しているが、インキ６とインキ１〜５とは、互いに顔料分散体が異なり、ＭＯＺかＧＢＬのいずれかの有機溶剤を含んでいる点でも両者は異なっているので、「有機溶剤（ｃ）」を含んでいるか、「有機溶剤（ａ）、（ｂ）または（ｄ）のいずれか」を含んでいるかの観点だけでは、単純に当該評価を行うことはできないとも認められる。また、インキ１とインキ４、５とを参照すると、インキ４、５は、インキ１の有機溶剤（ａ）のみを、それぞれ有機溶剤（ｂ）、（ｄ）に置き換えたものであると認められるが、例えば、インキ１の有機溶剤（ａ）を有機溶剤（ｃ）に置き換えたインキの実験がなされていないので、上記「３（２）」の「さらに」の段落で述べたものと同様に、当該実験成績証明書からでも有機溶剤（ａ）、（ｂ）および（ｄ）が、有機溶剤（ｃ）と比較して、格別顕著な効果を有すると認めることはできない。
　４　小括
　したがって、本願発明は、本願出願前に頒布された引用文献Ａに記載された発明、及び引用文献Ａに記載された事項に基いて当業者が容易になし得たものである。
第６　むすび
　以上のとおり、本願発明は、特許法第２９条第２項の規定により特許を受けることができないものであるから、当審で通知した拒絶の理由により、本願は拒絶すべきものである。
　よって、結論のとおり審決する。